(57)【要約】【課題】帯封紙幣を作成する処理において、帯封紙幣の表裏及び／又は天地を揃えることを可能にする。【解決手段】紙幣処理装置（バラ紙幣処理ユニット１００）は、投入部（入金部１０３）と、識別部（入金識別部１０８）と、特定の方向を向いた紙幣を収納している収納部１１２と、収納部から繰り出された紙幣を帯封部へ搬送する途中で、紙幣の方向を選択的に変換する変換部（スパイラル反転部１１１）と、を備える。紙幣を帯封する帯封処理の実行時に、収納部は、投入部から繰り出された紙幣の識別結果を受けて、当該紙幣と同じ金種でかつ、同じ枚数の紙幣を繰り出すと共に、変換部は、収納部から繰り出された紙幣の方向を選択的に変換することにより、帯封部へ搬送する紙幣の表裏及び天地の両方を揃える。【選択図】図８
2020160644.tif 000002
【特許請求の範囲】
【請求項１】
投入された紙幣を繰り出す投入部と、
前記投入部から繰り出された紙幣を識別する識別部と、
特定の方向を向いた紙幣を収納している収納部と、
前記収納部が繰り出した前記紙幣を帯封部へ搬送する途中で、前記紙幣の方向を選択的に変換する変換部と、を備え、
前記紙幣を帯封する帯封処理の実行時に、前記収納部は、前記投入部から繰り出された前記紙幣の識別結果を受けて、当該紙幣と同じ金種でかつ、同じ枚数の紙幣を繰り出すと共に、前記変換部は、前記収納部から繰り出された紙幣の方向を選択的に変換することにより、前記帯封部へ搬送する前記紙幣の表裏及び天地の両方を揃える紙幣処理装置。
【請求項２】
前記収納部は、前記帯封処理の実行時に、前記投入部から繰り出されかつ識別をした前記紙幣を収納する請求項１に記載の紙幣処理装置。
【請求項３】
複数の前記収納部を備え、
前記投入部から繰り出されかつ識別をした前記紙幣の少なくとも一部は、前記帯封処理の実行時に前記紙幣を繰り出した前記収納部とは異なる収納部に収納される請求項２に記載の紙幣処理装置。
【請求項４】
前記変換部は、前記収納部に接続された第一搬送路に設けられ、
前記投入部と前記収納部とをつなぐ第二搬送路に設けられかつ、前記識別結果に基づいて、前記紙幣の方向を選択的に変換する第二変換部を備え、
前記収納部は、前記第二変換部が前記特定の方向にした前記紙幣を収納する請求項２又は３に記載の紙幣処理装置。
【請求項５】
前記帯封部が作成した帯封紙幣は、第二収納部に収納される請求項１〜４のいずれか１項に記載の紙幣処理装置。
【請求項６】
前記帯封部が作成した帯封紙幣は、払出部から払い出される請求項１〜４のいずれか１項に記載の紙幣処理装置。
【請求項７】
前記投入部から繰り出されかつ識別をした前記紙幣を、一時的に収納する一時保留部を備え、
前記収納部は、前記一時保留部に帯封枚数分の紙幣が収納されたことを受けて、前記帯封部へ搬送する紙幣を繰り出す請求項１〜６のいずれか１項に記載の紙幣処理装置。
【発明の詳細な説明】
【技術分野】
【０００１】
ここに開示する技術は、紙幣処理装置に関する。
【背景技術】
【０００２】
特許文献１には、バラ紙幣処理ユニットと束紙幣処理ユニットとを備えた紙幣処理装置が記載されている。バラ紙幣処理ユニットは、紙幣が投入される入金部と、入金部に投入された紙幣を識別する入金識別部と、紙幣を収納するスタッカと、スタッカから繰り出した紙幣を識別する出金識別部と、束紙幣処理ユニットへ搬送する帯封対象の紙幣を集積する整理一時保留部と、を備えている。
【０００３】
投入部と収納部とをつなぐ入金搬送路には、スイッチバック方式の第一反転部が設けられ、収納部と整理一時保留部とをつなぐ出金搬送路には、スパイラル方式の第二反転部が設けられている。
【０００４】
紙幣処理装置は、バラ紙幣の入金処理時には、入金部に投入された紙幣の向きを入金識別部が識別し、その識別結果に基づいて、第一反転部が、紙幣の方向が特定の方向となるよう紙幣を選択的に反転した上で収納部に収納する。また、紙幣処理装置は、バラ紙幣の出金処理時には、第二反転部が、出金識別部の識別結果に基づいて、収納部から繰り出した紙幣の表裏及び天地が揃うように紙幣を選択的に反転する。これにより、紙幣処理装置は、表裏及び天地の両方が揃ったバラ紙幣を出金部に投出することができる。
【先行技術文献】
【特許文献】
【０００５】
【特許文献１】特開２０１７−１７４４２２号公報
【発明の概要】
【発明が解決しようとする課題】
【０００６】
ところで、特許文献１に記載されている紙幣処理装置は、前記収納部及び第二反転部をバイパスするように、入金搬送路と出金搬送路とをつなぐ中継搬送路を備えている。バラ紙幣処理ユニットの入金部に投入したバラ紙幣から帯封紙幣を作成し、作成した帯封紙幣を束紙幣処理ユニットのスタッカに収納する装填処理を実行する際に、紙幣処理装置は、入金部から繰り出したバラ紙幣を、第一反転部の通過後、中継搬送路を介して、整理一時保留部へと搬送する。装填処理の実行時に、帯封対象のバラ紙幣は、第一反転部のみを通過し、第二反転部を通過しない。このため、紙幣処理装置は、バラ紙幣の表裏及び天地の両方を揃えることができない。つまり、束紙幣処理ユニットのスタッカに装填される帯封紙幣は、表裏及び天地の両方が揃っていない。
【０００７】
また、特許文献１に記載されている紙幣処理装置は、バラ紙幣処理ユニットの入金部に投入したバラ紙幣から帯封紙幣を作成し、作成した帯封紙幣を帯封紙幣処理ユニットの出金口から払い出す計数整理処理を実行する際にも、前記と同様に、帯封対象のバラ紙幣が、第一反転部のみを通過し、第二反転部を通過しない。このため、計数整理処理時に束紙幣処理ユニットから払い出される帯封紙幣は、表裏及び天地の両方が揃っていない。
【０００８】
ここに開示する技術は、投入部に紙幣を投入しかつ、帯封紙幣を作成する処理において、帯封紙幣の表裏及び天地を揃えることを可能にする。
【課題を解決するための手段】
【０００９】
ここに開示する技術は、紙幣処理装置に関する。紙幣処理装置は、投入された紙幣を繰り出す投入部と、前記投入部から繰り出された紙幣を識別する識別部と、特定の方向を向いた紙幣を収納している収納部と、前記収納部が繰り出した前記紙幣を帯封部へ搬送する途中で、前記紙幣の方向を選択的に変換する変換部と、を備える。
【００１０】
そして、前記紙幣を帯封する帯封処理の実行時に、前記収納部は、前記投入部から繰り出された前記紙幣の識別結果を受けて、当該紙幣と同じ金種でかつ、同じ枚数の紙幣を繰り出すと共に、前記変換部は、前記収納部から繰り出された紙幣の方向を選択的に変換することにより、前記帯封部へ搬送する前記紙幣の表裏及び天地の両方を揃える。
【００１１】
前記の構成によると、紙幣の表裏及び天地が揃った帯封紙幣を作成することができる。
【００１２】
前記収納部は、前記帯封処理の実行時に、前記投入部から繰り出されかつ識別をした前記紙幣を収納する、としてもよい。
【００１３】
こうすることで、帯封処理時に、収納部の収納量は変わらない、又は、ほぼ変わらない。
【００１４】
前記紙幣処理装置は、複数の前記収納部を備え、前記投入部から繰り出されかつ識別をした前記紙幣の少なくとも一部は、前記帯封処理の実行時に前記紙幣を繰り出した前記収納部とは異なる収納部に収納される、としてもよい。
【００１５】
前記変換部は、前記収納部に接続された第一搬送路に設けられ、前記紙幣処理装置は、前記投入部と前記収納部とをつなぐ第二搬送路に設けられかつ、前記識別結果に基づいて、前記紙幣の方向を選択的に変換する第二変換部を備え、前記収納部は、前記第二変換部が前記特定の方向にした前記紙幣を収納する、としてもよい。
【００１６】
これにより、収納部に収納されている紙幣は、特定の方向になっている。
【００１７】
前記帯封部が作成した帯封紙幣は、第二収納部に収納される、としてもよい。
【００１８】
これにより、第二収納部に、表裏及び天地が揃った帯封紙幣を装填することができる。
【００１９】
前記帯封部が作成した帯封紙幣は、払出部から払い出される、としてもよい。
【００２０】
これにより、ユーザーに、表裏及び天地が揃った帯封紙幣を提供することができる。
【００２１】
前記紙幣処理装置は、前記投入部から繰り出されかつ識別をした前記紙幣を、一時的に収納する一時保留部を備え、前記収納部は、前記一時保留部に帯封枚数分の紙幣が収納されたことを受けて、前記帯封部へ搬送する紙幣を繰り出す、としてもよい。
【００２２】
こうすることで、帯封紙幣を作成したにもかかわらず、投入部から繰り出されかつ識別をした紙幣が足りなくなる事態を防止できる。
【発明の効果】
【００２３】
以上説明したように、前記の紙幣処理装置によると、投入部に紙幣を投入しかつ、帯封紙幣を作成する処理において、帯封紙幣の表裏及び天地を揃えることができる。
【図面の簡単な説明】
【００２４】
【図１】図１は、貨幣処理装置の外観を示す斜視図である。
【図２】図２は、貨幣処理装置の構成を例示するブロック図である。
【図３】図３は、バラ紙幣処理ユニットの内部構成を例示する図である。
【図４】図４は、紙幣の天地方向及び左右方向を説明する図である。
【図５】図５は、紙幣の表裏及び天地の両方を揃えるときの、スイッチバック反転部及びスパイラル反転部の動作を説明する図である。
【図６】図６は、帯封紙幣処理ユニットの内部構成を例示する図である。
【図７】図７は、入金口装填処理を実行する時の画面の遷移を例示する図である。
【図８】図８は、入金口装填処理時における紙幣の搬送経路を説明する図である。
【図９】図９は、第二の入金口装填処理時における紙幣の搬送経路を説明する図である。
【図１０】図１０は、スパイラル反転部を通過した後の紙幣の搬送制御を説明する図である。
【図１１】図１１は、図３とは異なるバラ紙幣処理ユニットの内部構成を例示する図である。
【発明を実施するための形態】
【００２５】
以下、紙幣処理装置の実施形態を図面に基づいて詳細に説明する。以下の説明は、紙幣処理装置の一例である。図１及び図２は、紙幣処理装置を含む貨幣処理装置１の構成例を示している。
【００２６】
（貨幣処理装置の全体構成）
図１は、貨幣処理装置１の外観を示している。図２は、貨幣処理装置１の構成を示すブロック図である。貨幣処理装置１は、例えば銀行等の金融機関に設置されかつ、入金処理及び出金処理を含む各種の処理を実行する出納機である。尚、貨幣処理装置１は、金融機関に設置することには限定されない。
【００２７】
貨幣処理装置１は、紙幣処理装置としてのバラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００２８】
バラ紙幣処理ユニット１００は、入金口に投入されたバラ紙幣を、ユニット内の収納部に収納する入金処理、及び、収納部に収納しているバラ紙幣を、出金口に払い出す出金処理を行う。バラ紙幣処理ユニット１００の構成は、後述する。
【００２９】
帯封紙幣処理ユニット２００は、所定枚数（例えば１００枚）の紙幣を、帯封紙によって一つに束ねた帯封紙幣を作成しかつ、帯封紙幣をユニット内に収納する処理を行うと共に、収納している帯封紙幣を、ユニット外に出金する処理を行う。帯封紙幣処理ユニット２００とバラ紙幣処理ユニット１００とは、隣り合っている。帯封紙幣処理ユニット２００の構成は、後述する。
【００３０】
バラ硬貨処理ユニット３００は、入金口に投入されたバラ硬貨を、ユニット内の収納部に収納する入金処理、及び、収納部に収納しているバラ硬貨を、出金口に払い出す出金処理を行う。
【００３１】
包装硬貨処理ユニット４００は、所定枚数（例えば５０枚）の硬貨を円筒形状に包装した包装硬貨を作成しかつ、包装硬貨をユニット内に収納する処理を行うと共に、収納している包装硬貨を、ユニット外に出金する処理を行う。包装硬貨処理ユニット４００とバラ硬貨処理ユニット３００とは、隣り合っている。
【００３２】
損貨・記念貨処理ユニット５００は、傷みや汚れがひどいため、バラ硬貨処理ユニット３００で処理することができないバラ硬貨（つまり、損貨）、及び、バラ硬貨処理ユニット３００が処理対象としていない記念硬貨等をユニット内に収納する入金処理を行う。損貨・記念貨処理ユニット５００は、有価媒体処理ユニット６００の上面に配置されている。
【００３３】
有価媒体処理ユニット６００は、傷みや汚れがひどいため、バラ紙幣処理ユニット１００で処理することができないバラ紙幣（つまり、損券）、及び、バラ紙幣処理ユニット１００が処理対象としていない小切手等の有価媒体をユニット内に収納する入金処理を行う。
【００３４】
貨幣保管ユニット７００は、紙幣や硬貨、又は、有価証券類等を保管する収納ドロワを複数備えている。操作者は、収納ドロワを開閉することによって、収納ドロワに紙幣等を収納したり、収納ドロワから紙幣等を取り出したりすることができる。
【００３５】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。貨幣処理装置１は、当該貨幣処理装置１に収納されている紙幣及び硬貨だけでなく、営業店舗に設けられている金庫に保管している貨幣の在高、及び、手持ち管理の貨幣の在高の管理も行う。
【００３６】
貨幣処理装置１はまた、第一ターミナル部４１、第二ターミナル部４２、プリンタ５０、及び、記憶部５１を備えている。
【００３７】
第一ターミナル部４１は、包装硬貨処理ユニット４００の上面に配置されており、第二ターミナル部４２は、帯封紙幣処理ユニット２００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。
【００３８】
プリンタ５０は、例えば感熱式プリンタや、インクジェットプリンタによって構成される。プリンタ５０は、取引を行う毎に伝票の印刷をしたり、各種のジャーナルの印刷を行ったりする。プリンタ５０は、バラ紙幣処理ユニット１００の上面と、バラ硬貨処理ユニット３００の上面とのそれぞれに配置されている。
【００３９】
記憶部５１は、例えばハードディスクドライブや、不揮発性メモリによって構成されている。記憶部５１は、貨幣処理装置１において収納している紙幣及び硬貨の在高情報を記憶している。記憶部５１はまた、貨幣処理装置１が行った取引の情報を記憶している。
【００４０】
（バラ紙幣処理ユニットの構成）
図３は、バラ紙幣処理ユニット１００の構成を例示している。バラ紙幣処理ユニット１００には、バラ紙幣を出金するための出金口１０１とバラ紙幣を入金するための入金口１０２が設けられている。
【００４１】
バラ紙幣処理ユニット１００は、入金部１０３と、入金リジェクト部１０４と、出金部１０５と、出金リジェクト部１０６と、搬送部１０７と、入金識別部１０８と、出金識別部１０９と、スイッチバック反転部１１０と、スパイラル反転部１１１と、四つの収納部１１２と、四つの一時保留部１１３と、二つの集積部１１４と、運搬部１１５と、を備えている。
【００４２】
入金部１０３は、入金口１０２につながっている。ユーザーは、入金口１０２を通じて入金部１０３にバラ紙幣を投入する。入金部１０３は、投入部の一例である。入金部１０３は、繰出機構１０３ａを備えている。繰出機構１０３ａは、入金部１０３に投入されたバラ紙幣を一枚ずつ繰り出す。
【００４３】
入金リジェクト部１０４は、入金識別部１０８によってリジェクト紙幣と識別された紙幣を受け取る。入金リジェクト部１０４は、入金口１０２につながっている。ユーザーは、入金口１０２を通じて入金リジェクト部１０４からバラ紙幣を取り出すことができる。
【００４４】
出金部１０５は、収納部１１２から繰り出された紙幣を受け取る。出金部１０５は、出金口１０１につながっている。ユーザーは、出金口１０１を通じて出金部１０５からバラ紙幣を取り出すことができる。出金リジェクト部１０６は、主に、出金識別部１０９によりリジェクト紙幣と識別された紙幣を受け取る。
【００４５】
搬送部１０７は、ベルト機構、ローラー機構等により構成されている。搬送部１０７は、入金部１０３から収納部１１２（正確には、後述の一時保留部１１３）までをつなぐ入金搬送路１１６と、収納部１１２から出金部１０５までをつなぐ出金搬送路１１７と、入金搬送路１１６と出金搬送路１１７とをつなぐ循環搬送路１１８及びバイパス路１１９と、入金リジェクト搬送路１２０と、二つの集積搬送路１２１と、出金リジェクト搬送路１２２と、を含んでいる。入金搬送路１１６は、第二搬送路の一例である。出金搬送路１１７は、第一搬送路の一例である。
【００４６】
循環搬送路１１８は、出金搬送路１１７におけるスパイラル反転部１１１と集積部１１４との間と、入金搬送路１１６における入金識別部１０８とスイッチバック反転部１１０との間とをつないでいる。バイパス路１１９は、入金搬送路１１６の先端から分岐して、出金搬送路１１７における集積部１１４の上流に接続されている。入金リジェクト搬送路１２０は、入金搬送路１１６から分岐して、入金リジェクト部１０４に接続されている。二つの集積搬送路１２１はそれぞれ、出金搬送路１１７から分岐して、集積部１１４に接続されている。出金リジェクト搬送路１２２は、出金搬送路１１７から分岐して、出金リジェクト部１０６に接続されている。
【００４７】
図４に示すように長方形状である紙幣ＢＮは、長手の縁を前にして搬送路に沿って搬送される。搬送部１０７は、紙幣ＢＮを一枚一枚、間隔を空けて、各搬送路に沿って搬送する。
【００４８】
入金識別部１０８は、入金搬送路１１６に配設されている。より詳細に、入金識別部１０８は、入金搬送路１１６において、入金部１０３と、循環搬送路１１８の接続位置との間に配設されている。入金識別部１０８は、紙幣ＢＮの金種、真偽、表裏、向き、正損、新旧、搬送状態等を識別する。入金識別部１０８は、識別部の一例である。
【００４９】
出金識別部１０９は、出金搬送路１１７に配設されている。より詳細に、出金識別部１０９は、出金搬送路１１７において、収納部１１２と、スパイラル反転部１１１との間に配設されている。出金識別部１０９は、紙幣ＢＮの金種、真偽、表裏、向き、正損、新旧、搬送状態等を識別する。
【００５０】
ここで、入金識別部１０８及び出金識別部１０９が識別を行う紙幣ＢＮの方向について説明をする。紙幣ＢＮの方向は、紙幣ＢＮの表裏と向きとの組み合わせによって、Ａ方向、Ｂ方向、Ｃ方向及びＤ方向の四つの方向に定まる。紙幣ＢＮの天地方向は、図４に示すように、紙幣ＢＮに描かれた肖像画を基準とした上下の方向である。紙幣ＢＮの左右方向は、天地方向に直交する方向である。長手の縁を前にして搬送される紙幣ＢＮにおいて、天地方向は、搬送方向に一致する。左右方向は、搬送方向に直交する。尚、以下の説明において、搬送方向に直交する方向を、搬送幅方向と呼ぶ場合がある。
【００５１】
図５に示すように、Ａ方向は、紙幣ＢＮが表向きでかつ、搬送方向に対して紙幣ＢＮの天地方向が従う方向である。Ｂ方向は、紙幣ＢＮが表向きでかつ、搬送方向に対して紙幣ＢＮの天地方向が逆らう方向である。Ｃ方向は、紙幣ＢＮが裏向きでかつ、搬送方向に対して紙幣ＢＮの天地方向が逆らう方向である。Ｄ方向は、紙幣ＢＮが裏向きでかつ、搬送方向に対して紙幣ＢＮの天地方向が従う方向である。
【００５２】
スイッチバック反転部１１０は、入金搬送路１１６における、循環搬送路１１８の接続箇所よりも下流に配置されている。スイッチバック反転部１１０は、入金識別部１０８の識別結果に応じて、紙幣ＢＮの表裏及び天地方向の両方を、選択的に反転する。スイッチバック反転部１１０は、第二変換部の一例である。スイッチバック反転部１１０は、紙幣ＢＮの表裏及び天地方向を反転させるスイッチバック方式の反転パス１１０ａと、紙幣ＢＮの表裏及び天地方向を反転することなく通過させるバイパス１１０ｂと、を有している。
【００５３】
反転パス１１０ａを通過した紙幣ＢＮは、搬送幅方向の向きを変えずに、紙幣ＢＮの表裏と搬送方向の向き（つまり、天地方向の向き）との両方が反転する。スイッチバック反転部１１０は、入金識別部１０８の識別結果に応じて、表裏及び天地方向の向きを反転する必要がある紙幣ＢＮは、反転パス１１０ａを通過させ、表裏及び天地方向の向きを反転する必要がない紙幣ＢＮは、バイパス１１０ｂを通過させる。
【００５４】
スパイラル反転部１１１は、出金搬送路１１７において、出金識別部１０９よりも下流かつ、循環搬送路１１８の接続箇所よりも上流に設けられている。スパイラル反転部１１１は、紙幣ＢＮの搬送幅方向の向きを、選択的に反転する。スパイラル反転部１１１は、変換部の一例である。スパイラル反転部１１１は、紙幣ＢＮの搬送幅方向の向きを反転させる反転パス１１１ａと、紙幣ＢＮの搬送幅方向の向きを反転することなく通過させるバイパス１１１ｂと、を有している。反転パス１１１ａには、紙幣ＢＮを反転する反転機構１１１ｃが配設されている。バイパス１１１ｂには、バイパス路１１９が接続されている。反転機構１１１ｃは、この構成例では、紙幣ＢＮの搬送方向に沿って伸びる軸回りに、紙幣ＢＮを回転させる、いわゆるスパイラル方式に構成されている。反転機構１１１ｃは、紙幣ＢＮの搬送方向に直交する搬送幅方向（つまり、紙幣ＢＮの左右方向）の向きと、紙幣ＢＮの表裏との両方を反転することができる。スパイラル反転部１１１は、スイッチバック反転部１１０とは機能が相違する。反転機構１１１ｃの構成の詳細は省略するが、スパイラル方式の反転機構１１１ｃは、公知の様々な構成を採用することができる。
【００５５】
スパイラル反転部１１１は、出金識別部１０９の識別結果に応じて、左右方向の向きを反転する必要がある紙幣ＢＮは、反転パス１１１ａを通過させ、左右方向の向きを反転する必要がない紙幣ＢＮは、バイパス１１１ｂを通過させる。反転機構１１１ｃの下流において、反転パス１１１ａとバイパス１１１ｂとは合流する。このバラ紙幣処理ユニット１００は、スイッチバック反転部１１０とスパイラル反転部１１１との二種類の反転部を備えることにより、紙幣ＢＮの表裏及び天地方向の向きの両方を揃えることができる。
【００５６】
ここで、図５に示すフローを参照しながら、紙幣ＢＮの表裏及び天地方向の向きを揃えるための、スイッチバック反転部１１０及びスパイラル反転部１１１の動作について説明する。ここでは、入金部１０３から取り込まれた紙幣ＢＮがスイッチバック反転部１１０を通過した後、収納部１１２に収納される入金処理、及び、収納部１１２から繰り出された紙幣ＢＮがスパイラル反転部１１１を通過した後、出金部１０５に投出される出金処理が行われる例において、スイッチバック反転部１１０及びスパイラル反転部１１１の動作を説明する。尚、以下の説明においては、スイッチバック反転部１１０及びスパイラル反転部１１１によって、紙幣ＢＮをＡ方向に揃えるとする。但し、紙幣ＢＮの揃えの向きは、Ａ方向に限らず、Ｂ方向、Ｃ方向及びＤ方向のいずれであってもよい。
【００５７】
入金部１０３が繰り出した紙幣ＢＮは、入金識別部１０８によって識別される。入金識別部１０８の識別結果による紙幣ＢＮの方向に応じて、図５のプロセスは、ステップＳ４１〜Ｓ４４に進む。つまり、紙幣ＢＮがＡ方向であるときに、プロセスはステップＳ４１に進み、紙幣ＢＮがＢ方向であるときに、プロセスはステップＳ４２に進み、紙幣ＢＮがＣ方向であるときに、プロセスはステップＳ４３に進み、紙幣ＢＮがＤ方向であるときに、プロセスはステップＳ４４に進む。
【００５８】
ステップＳ５１〜Ｓ５４は、スイッチバック反転部１１０における反転動作に係る。ステップＳ４１に続くステップＳ５１においては、紙幣ＢＮを反転させる必要がないため、スイッチバック反転部１１０は、紙幣ＢＮを通過させる。つまり、紙幣ＢＮは、バイパス１１０ｂを通過する。紙幣の方向はＡ方向のままである（ステップＳ６１参照）。ステップＳ４２に続くステップＳ５２において、スイッチバック反転部１１０は、紙幣ＢＮを反転させる。つまり、紙幣ＢＮは、反転パス１１０ａを通過する。これにより、紙幣ＢＮの表裏及び天地方向の向きの両方が反転し、紙幣の方向はＢ方向からＤ方向になる（ステップＳ６２参照）。ステップＳ４３に続くステップＳ５３において、スイッチバック反転部１１０は、紙幣ＢＮを反転させる。これにより、紙幣ＢＮの方向はＣ方向からＡ方向になる（ステップＳ６３参照）。ステップＳ４４に続くステップＳ５４において、スイッチバック反転部１１０は、紙幣ＢＮを通過させる。紙幣ＢＮの方向はＤ方向のままである（ステップＳ６４参照）。スイッチバック反転部１１０は、紙幣ＢＮの天地を揃えている。つまり、スイッチバック反転部１１０を通過した紙幣の方向は、特定の方向を向いている。スイッチバック反転部１１０を通過した紙幣ＢＮは、収納部１１２に収納される。収納部１１２は、特定の方向を向いた紙幣ＢＮを収納している、
収納部１１２が繰り出した紙幣ＢＮは、出金識別部１０９によって識別される。図５のプロセスは、ステップＳ５１、Ｓ５２、Ｓ５３、及びＳ５４に対応して、ステップＳ６１、Ｓ６２、Ｓ６３、及びＳ６４に分かれる。紙幣ＢＮは、前述したように、Ａ方向又はＤ方向である。
【００５９】
ステップＳ７１〜７４は、スパイラル反転部１１１における反転動作に係る。ステップＳ６１に続くステップＳ７１においては、紙幣ＢＮを反転させる必要がないため、スパイラル反転部１１１は、紙幣ＢＮを通過させる。つまり、紙幣ＢＮは、バイパス１１１ｂを通過する。紙幣ＢＮの方向はＡ方向のままである。ステップＳ６２に続くステップＳ７２において、スパイラル反転部１１１は、紙幣ＢＮを反転させる。つまり、紙幣ＢＮは、反転パス１１１ａを通過する。これにより、紙幣ＢＮの表裏及び左右方向の向きの両方が反転し、紙幣ＢＮの方向はＤ方向からＡ方向になる。ステップＳ６３に続くステップＳ７３において、スパイラル反転部１１１は、紙幣ＢＮを通過させる。これにより、紙幣ＢＮの方向はＡ方向のままになる。ステップＳ６４に続くステップＳ７４において、スパイラル反転部１１１は、紙幣ＢＮを反転させる。紙幣ＢＮの方向はＤ方向からＡ方向になる。こうして、紙幣ＢＮの方向は全てＡ方向に揃う。
【００６０】
収納部１１２は、入金された紙幣を金種別に収納するために利用される。たとえば、四つの収納部１１２のそれぞれに対し、一万円、千円、５千円、及び、混合の金種が割り当てられている。収納部１１２内には、紙幣が上下に積まれるように収納される。収納部１１２には、その天面に紙幣の入口が形成され、その底面に紙幣の出口が形成される。収納部１１２には、その底面側に繰出部１１２ａが設けられている。繰出部１１２ａは、収納部１１２内の紙幣を、一枚ずつ出金搬送路１１７に繰り出すことができる。収納部１１２は、先に入れた紙幣ＢＮを先に出す、いわゆる先入れ先出しに構成されている。尚、混合金種の収納部１１２には、対応する金種別の収納部１１２に収納できないオーバーフロー紙幣や、金種を識別できるものの払出しには適さない損傷紙幣（損券）や、対応する収納部１１２が設けられていない２千円紙幣等が収納される。
【００６１】
一時保留部１１３は、対応する収納部１１２の上方に配置される。一時保留部１１３は、収納部１１２に収納される紙幣を、その収納前に一時的に収納する。四つの一時保留部１１３には、入金搬送路１１６が分岐して接続されている。一時保留部１１３に収納された紙幣は、対応する収納部１１２へ送られる。一時保留部１１３はまた、手動で、バラ紙幣処理ユニット１００の外に引き出すことができる。ユーザーは、一時保留部１１３に収納されている紙幣を手で取り出すことができる。
【００６２】
各集積部１１４は、所定の帯封枚数（通常は、１００枚）となるまで、紙幣を集積する。運搬部１１５は、一対のアームを備えている。運搬部１１５は、集積部１１４に集積されているバラ紙幣を、一対のアームで挟んで集積部１１４内から取り出し、後述する帯封紙幣処理ユニット２００の帯封機構２０１へ運搬する。
【００６３】
（帯封紙幣処理ユニットの構成）
図６は、帯封紙幣処理ユニット２００の構成を例示している。帯封紙幣処理ユニット２００は、帯封機構２０１と、第一搬送機構２０２と、昇降機構２０３と、第二搬送機構２０４と、五つのスタッカ２０５と、を備える。
【００６４】
帯封機構２０１は、運搬部１１５の前方に設けられ、運搬部１１５によって搬送されてきたバラ紙幣の束を、帯封紙によって帯封することで帯封紙幣を作成する。帯封機構２０１は、帯封紙に印刷を行う印刷部２０１ａを有している。印刷部２０１ａは、帯封紙に印字を行う印字部及び帯封紙にスタンプを押す押印部を含んでいる。
【００６５】
第一搬送機構２０２は、帯封機構２０１の前方に設けられている。第一搬送機構２０２は、前後方向に延びる上下一対のベルトユニット２０２ａを有している。第一搬送機構２０２は、上下一対のベルトユニット２０２ａの間に帯封紙幣を挟んで、前方の昇降機構２０３へ帯封紙幣を搬送する。
【００６６】
昇降機構２０３は、帯封紙幣処理ユニット２００の前面に沿うように上下に延びる昇降スペース２０３ａと、帯封紙幣を載置した状態で、昇降スペース２０３ａ内を昇降するリフト２０３ｂとを含んでいる。昇降スペース２０３ａは、その上部において入出金口２０６につながり、その下部において投出口２０７につながる。リフト２０３ｂは、投出口２０７の位置を待機位置とし、この待機位置と第一搬送機構２０２及び入出金口２０６がある上限位置との間を昇降する。
【００６７】
リフト２０３ｂは、ベースと、ベース上に積層されかつ、ベースに対して傾斜可能な載置板とを備える。帯封紙幣を載せたリフト２０３ｂが待機位置にあるときに載置板が傾斜すると、帯封紙幣が載置板から滑り落ちて投出口２０７から投出される。また、リフト２０３ｂは、第一搬送機構２０２から帯封紙幣を受け取り、受け取った帯封紙幣を第二搬送機構２０４まで搬送する。さらに、リフト２０３ｂは、第二搬送機構２０４から帯封紙幣を受け取り、受け取った帯封紙幣を入出金口２０６や投出口２０７の位置まで搬送する。
【００６８】
第二搬送機構２０４は、前後に離れて配置された一対のローラー２０４ａの間に架け渡されたベルトによって構成されている。ベルトは、図６における時計回りと反時計回りの双方に周回することができる。ベルトには、複数の突起が等間隔で形成されている。ベルトの周回に伴って突起が前後に移動することにより、ベルトの下方に設けられた束搬送路２０４ｂの上を、突起に押されて帯封紙幣が移動する。
【００６９】
ベルトの前端部は、昇降スペース２０３ａ内に張り出している。第二搬送機構２０４には、一対のローラー２０４ａの間に、支点ローラー２０４ｃが設けられており、ベルトは、前側のローラー２０４ａと支点ローラー２０４ｃとの間の部分が、支点ローラー２０４ｃを支点として、昇降スペース２０３ａ内に進出する進出位置と昇降スペース２０３ａ内から退避する退避位置との間で回動する（二点鎖線の矢印参照）。リフト２０３ｂが第一搬送機構２０２側から降下するときには、ベルトが退避位置に退避するため、リフト２０３ｂの降下が邪魔されない。一方、リフト２０３ｂが束搬送路２０４ｂの高さ位置まで降下して停止すると、ベルトが進出位置に進出する。これにより、リフト２０３ｂに載せられた帯封紙幣を束搬送路２０４ｂへ移動させたり、束搬送路２０４ｂを搬送された帯封紙幣をリフト２０３ｂに載せたりすることが可能となる。
【００７０】
スタッカ２０５は、帯封機構２０１により生成された帯封紙幣を金種別に収納するために利用される。たとえば、５つのスタッカ２０５のそれぞれに対し、一括（混合）、一万円、一万円、５千円、及び、千円の金種が割り当てられている。スタッカ２０５内には、帯封紙幣が上下に積まれるように収納される。収納された帯封紙幣を昇降させるため、スタッカ２０５内に昇降ステージ２０５ａが設けられている。尚、一括（混合）のスタッカ２０５には、対応する金種別のスタッカ２０５に収納できなかったオーバーフロー帯封紙幣等が収納される。
【００７１】
束搬送路２０４ｂには、各スタッカ２０５の上方にシャッターにより開閉される出入口が設けられている。束搬送路２０４ｂからスタッカ２０５へ帯封紙幣を収納する際やスタッカ２０５から束搬送路２０４ｂへ帯封紙幣を送り出す際にシャッターが開放され、出入口が開く。出入口を通じてスタッカ２０５に帯封紙幣が出し入れされる。一方、シャッターが閉鎖された状態では、上面を帯封紙幣が通過する。また、束搬送路２０４ｂには、帯封紙幣の金種を識別するための識別部２０４ｄが配設されている。
【００７２】
（バラ紙幣処理ユニットにおける各種処理）
以下、バラ紙幣処理ユニット１００及び帯封紙幣処理ユニット２００において行われる、入金処理、出金処理、装填処理、及び、計数整理処理の各処理について、順に説明をする。
【００７３】
（入金処理）
入金処理を行うときに、ユーザーは、バラ紙幣処理ユニット１００の入金部１０３に入金対象のバラ紙幣を投入する。ユーザーが入金処理の実行を指示する操作を行うと、入金部１０３の繰出機構１０３ａは、紙幣ＢＮを一枚ずつ繰り出す。搬送部１０７は、紙幣ＢＮを一枚ずつ、入金搬送路１１６に沿って搬送する。
【００７４】
入金識別部１０８は、紙幣ＢＮの識別を行う。スイッチバック反転部１１０は、入金識別部１０８の識別結果に基づいて、反転が必要な紙幣ＢＮを選択的に反転させる。スイッチバック反転部１１０は、前述したように、紙幣ＢＮの天地を揃える。搬送部１０７は、スイッチバック反転部１１０を通過した紙幣ＢＮを、金種に対応する一時保留部１１３へ搬送する。損券は、混合金種の収納部１１２に対応する一時保留部１１３へ搬送される。一時保留部１１３は、紙幣ＢＮを収納する。尚、入金識別部１０８がリジェクト紙幣と識別した紙幣ＢＮは、搬送部１０７によって、入金リジェクト搬送路１２０を通じて、入金リジェクト部１０４へ搬送される。
【００７５】
投入された紙幣ＢＮを入金部１０３が全て繰り出すと共に、その計数結果に対しユーザーが承認操作を行うと、一時保留部１１３は紙幣ＢＮを収納部１１２へ送り、収納部１１２は紙幣ＢＮを収納する。こうして、入金処理が終了する。収納部１１２内では、所定の方向の紙幣ＢＮが積み重なっている。前述の通り、出金時等に紙幣ＢＮの向きをＡ方向に揃えるのであれば、収納部１１２内には、Ａ方向又はＤ方向の紙幣ＢＮが積み重なっている。
【００７６】
（出金処理）
ユーザーが出金処理の実行を指示する操作を行うと、出金対象の紙幣ＢＮを収納している収納部１１２の繰出部１１２ａは、収納部１１２から紙幣ＢＮを一枚ずつ繰り出す。搬送部１０７は、出金搬送路１１７に沿って、紙幣ＢＮを一枚ずつ搬送する。出金識別部１０９は、紙幣ＢＮの識別を行う。スパイラル反転部１１１は、反転が必要な紙幣ＢＮを選択的に反転させる。これにより、スパイラル反転部１１１を通過した紙幣ＢＮは、表裏及び天地の両方が揃っている。搬送部１０７はその後、紙幣ＢＮを、出金搬送路１１７を通じて、出金部１０５へ搬送する。こうして、表裏及び天地の両方が揃った紙幣ＢＮを、出金部１０５に投出することができる。出金対象の紙幣ＢＮが全て出金部１０５へ投出されると、出金処理が終了する。尚、出金識別部１０９がリジェクト紙幣と識別した紙幣ＢＮは、搬送部１０７によって、出金リジェクト部１０６へ搬送される。
【００７７】
（入金口装填処理）
入金口装填処理は、バラ紙幣処理ユニット１００の入金部１０３に投入された紙幣ＢＮから帯封紙幣を作成し、その帯封紙幣を帯封紙幣処理ユニット２００のスタッカ２０５に収納する処理である。従来のバラ紙幣処理ユニットは、入金口装填処理において、入金部１０３から繰り出した紙幣ＢＮを、スイッチバック反転部１１０を通過させた後、バイパス路１１９を通じて集積部１１４へ搬送していた。帯封される紙幣ＢＮは、スイッチバック反転部１１０のみを通過しかつ、スパイラル反転部１１１を通過しないため、紙幣ＢＮの表裏及び天地の両方を揃えることができなかった。
【００７８】
これに対し、このバラ紙幣処理ユニット１００は、入金口装填処理において、ユーザーが入金部１０３に紙幣ＢＮを投入する点は同じであるものの、当該紙幣ＢＮを帯封せずに、当該紙幣ＢＮと同じ金種かつ同じ枚数の紙幣ＢＮを、収納部１１２から繰り出し、その繰り出した紙幣ＢＮを帯封する。繰り出した紙幣ＢＮがスパイラル反転部１１１を通過することにより、紙幣ＢＮの表裏及び天地の両方が揃った帯封紙幣を作成しかつ、それを帯封紙幣処理ユニット２００のスタッカ２０５に収納することができる。以下、この新たな入金口装填処理の詳細を、図７及び図８を参照しながら説明する。
【００７９】
図７は、第一ターミナル部４１又は第二ターミナル部４２に表示される画面の遷移を例示している。図７の上図はメニュー画面Ｄ１の例である。メニュー画面Ｄ１は、各種処理を表す複数のボタンを含んでいる。ユーザーが、メニュー画面Ｄ１において所望のボタンを押すと、貨幣処理装置１は、当該ボタンに対応する処理を開始する。具体的に入金口装填処理を開始する場合、ユーザーは「装填・回収」ボタンを押す。
【００８０】
図７の中図は、入金口装填処理において、ユーザーに対し、バラ紙幣処理ユニット１００の入金部１０３に紙幣ＢＮを投入することを促す画面Ｄ２を例示している。ユーザーは、入金口装填処理時に、装填する紙幣の金種を「１金種」とするか、「２金種」とするかを選択可能である。ユーザーが「１金種」を選択すると、バラ紙幣処理ユニット１００は、二つの集積部１１４のそれぞれを、第一金種の紙幣の集積に利用する。ユーザーが「２金種」を選択すると、バラ紙幣処理ユニット１００は、二つの集積部１１４のそれぞれに、金種別に紙幣ＢＮを集積する。ユーザーはまた、図示は省略するが、装填する紙幣の金種を指定する。入金部１０３に紙幣を投入した後、ユーザーが画面Ｄ２の「計数開始」ボタンを押すと、入金部１０３は、紙幣ＢＮの繰り出しを開始する。
【００８１】
図８は、入金口装填処理時における紙幣ＢＮの搬送経路を示している。図８に太い黒矢印で示すように、搬送部１０７は、入金部１０３から繰り出された紙幣ＢＮを、入金搬送路１１６に沿って入金識別部１０８へ搬送する。入金識別部１０８は、紙幣ＢＮの識別を行う。スイッチバック反転部１１０は、入金識別部１０８の識別結果に基づいて、反転が必要な紙幣ＢＮを選択的に反転させる。入金処理時と同様に、スイッチバック反転部１１０は、紙幣ＢＮの天地を揃える。搬送部１０７は、スイッチバック反転部１１０を通過した紙幣ＢＮを、金種に対応する一時保留部１１３へ搬送する。一時保留部１１３は、紙幣ＢＮを収納する。尚、入金識別部１０８がリジェクト紙幣と識別した紙幣ＢＮは、搬送部１０７によって、入金リジェクト搬送路１２０を通じて、入金リジェクト部１０４へ搬送される。装填対象の金種以外の金種の紙幣は、リジェクト紙幣として入金リジェクト部１０４へ搬送される。
【００８２】
装填対象の金種の紙幣ＢＮを収納する一時保留部１１３に、帯封枚数分（通常は、１００枚）の紙幣ＢＮが収納されると、当該一時保留部１１３に対応する収納部１１２の繰出部１１２ａは、収納部１１２から、帯封枚数分の紙幣ＢＮを繰り出す。尚、繰り出される紙幣ＢＮの金種と一時保留部１１３に収納されている紙幣ＢＮの金種とは、同じである。
【００８３】
図８に白抜き矢印で示すように、搬送部１０７は、収納部１１２から繰り出された紙幣ＢＮを、出金搬送路１１７に沿って出金識別部１０９へ搬送する。出金識別部１０９は、紙幣ＢＮの識別を行う。スパイラル反転部１１１は、反転が必要な紙幣ＢＮを選択的に反転させる。これにより、スパイラル反転部１１１を通過した紙幣ＢＮは、表裏及び天地の両方が揃っている。搬送部１０７はその後、紙幣ＢＮを、集積搬送路１２１を通じて集積部１１４へ搬送する。集積部１１４には、表裏及び天地の両方が揃った紙幣ＢＮが集積される。
【００８４】
出金識別部１０９がリジェクト紙幣と識別した紙幣ＢＮは、搬送部１０７によって、出金リジェクト搬送路１２２を通じて、出金リジェクト部１０６へ搬送される。出金識別部１０９がリジェクト紙幣を識別した場合、繰出部１１２ａは、新たな紙幣ＢＮを収納部１１２から追加で繰り出す。
【００８５】
集積部１１４に帯封枚数分の紙幣ＢＮが集積されると、運搬部１１５が紙幣ＢＮの束を集積部１１４から取り出して、帯封紙幣処理ユニット２００の帯封機構２０１へ運搬する。図示は省略するが、帯封機構２０１は、帯封紙幣を作成し、作成された帯封紙幣は、金種に対応するスタッカ２０５に収納される。こうして紙幣ＢＮの表裏及び天地の両方が揃った帯封紙幣が、スタッカ２０５に収納（つまり、装填）される。
【００８６】
ここで、装填対象の金種が１金種の場合、収納部１１２から繰り出した紙幣ＢＮは、帯封枚数毎に、二つの集積部１１４へ交互に搬送される。こうすることで、一つの集積部１１４に帯封枚数分の紙幣ＢＮが集積されて、運搬部１１５が紙幣ＢＮの束を集積部１１４から取り出している間に、もう一つの集積部１１４への紙幣ＢＮの集積を継続して行うことができる。
【００８７】
装填対象の金種が２金種の場合、一時保留部１１３に、帯封枚数分の紙幣ＢＮが収納される度に紙幣ＢＮを収納部１１２から繰り出し、当該金種に対応する集積部１１４へ紙幣ＢＮを搬送する。収納部１１２から集積部１１４へ紙幣ＢＮを搬送している最中に、一時保留部１１３に帯封枚数分の紙幣ＢＮが収納された場合には、実行中の搬送中が終了した後に、次の帯封枚数分の紙幣ＢＮの搬送を開始してもよい。
【００８８】
また、帯封機構２０１の印刷部２０１ａは、表裏及び天地の両方が揃った帯封紙幣を作成する場合には、帯封紙に、表裏及び天地の両方が揃っていることを印字する。印刷部２０１ａは、通常は、帯封紙幣の作成日時、作成した装置の号機番号、及び、作成した操作者のＩＤを帯封紙に印字するが、紙幣ＢＮの表裏及び天地の両方が揃っている場合には、例えば「＊」を、帯封紙に追加で印字してもよい。こうすることでユーザーは、帯封紙の印字を見れば、帯封紙幣の表裏及び天地の両方が揃っていることを知ることができる。
【００８９】
入金部１０３の紙幣が全て繰り出されると、図７の下図に示すように、第一ターミナル部４１又は第二ターミナル部４２は、今回実行した入金口装填処理の情報を含む画面Ｄ３を表示する。ユーザーが当該画面Ｄ３の「完了」ボタンを押すと、バラ紙幣処理ユニット１００は、一時保留部１１３に収納している紙幣ＢＮを収納部１１２に収納し、入金口装填処理が終了する。
【００９０】
図３に示す構成のバラ紙幣処理ユニット１００は、スパイラル反転部１１１が、収納部１１２の繰り出し側に接続された出金搬送路１１７に配設されており、収納部１１２から繰り出された紙幣ＢＮのみが、スパイラル反転部１１１を通過することができる。従来の入金口装填処理は、入金部１０３に投入された紙幣ＢＮから帯封紙幣を作成し、帯封紙幣処理ユニット２００のスタッカ２０５に収納する処理であるから、収納部１１２から紙幣ＢＮを繰り出すことは行わない。そのため、従来の入金口装填処理では、紙幣ＢＮの表裏及び天地の両方を揃えることができない。
【００９１】
しかしながら、このバラ紙幣処理ユニット１００は、入金口装填処理時に、入金部１０３に投入された紙幣ＢＮと同じ金種でかつ、同じ枚数の紙幣ＢＮを収納部１１２から繰り出す。このことによって、紙幣ＢＮの表裏及び天地の両方を揃えることができ、表裏及び天地の両方が揃った帯封紙幣を、帯封紙幣処理ユニット２００のスタッカ２０５に収納することができる。
【００９２】
尚、一時保留部１１３から収納部１１２へ紙幣ＢＮを送るタイミングは、集積部１１４に帯封枚数分の紙幣ＢＮが集積された後、としてもよい。
【００９３】
ここで、入金口装填処理の開始前に収納部１１２の収納量がゼロであった場合には、一時保留部１１３に収納している帯封枚数分の紙幣ＢＮを、収納部１１２に収納し直した後で、繰出部１１２ａが当該収納部１１２から紙幣ＢＮを繰り出してもよい。
【００９４】
但し、前述したように、出金識別部１０９がリジェクト紙幣を識別した場合には、収納部１１２から新たな紙幣ＢＮを繰り出さなければならないが、収納部１１２の収納量がゼロであると、収納部１１２には、帯封枚数分の紙幣ＢＮしか収納されていないため、集積部１１４に帯封枚数分の紙幣ＢＮを集積することができなくなる。
【００９５】
そこで、装填対象の金種の紙幣ＢＮを収納している収納部１１２の収納量が所定量以上（少なくとも１以上）である場合に限って、入金口装填処理は、その実行を可能にしてもよい。
【００９６】
尚、前記の入金口装填処理において、紙幣ＢＮを収納した一時保留部１１３に対応する収納部１１２から紙幣ＢＮを繰り出す以外にも、同じ金種の紙幣ＢＮであれば、別の収納部１１２から紙幣ＢＮを繰り出してもよい。
【００９７】
また、入金部１０３から繰り出した紙幣ＢＮは、混合金種を収納する収納部１１２の一時保留部１１３に収納する一方で、当該金種の紙幣ＢＮを収納している収納部１１２から、同じ金種でかつ、同じ枚数の紙幣ＢＮを繰り出してもよい。
【００９８】
さらに、入金部１０３から繰り出した紙幣ＢＮのうち、正券と識別された紙幣ＢＮは、金種別の収納部１１２の一時保留部１１３に収納し、損券と識別された紙幣ＢＮは、混合金種を収納する収納部１１２の一時保留部１１３に収納してもよい。この場合は、正券と損券との合計が帯封枚数に到達すると、金種別の収納部１１２の繰出部１１２ａが、当該収納部１１２から紙幣ＢＮを繰り出すようにしてもよい。
【００９９】
また、紙幣ＢＮを一つの一時保留部１１３に収納する以外にも、複数の一時保留部１１３に分けて収納してもよい。例えば一時保留部１１３の容量の関係により、一つの一時保留部１１３に帯封枚数分の紙幣ＢＮを収納することができない場合は、同一金種の紙幣ＢＮであっても、複数の収納部１１２の一時保留部１１３のそれぞれに、分けて収納をしてもよい。複数の一時保留部１１３に紙幣ＢＮを分けて収納した場合は、複数の収納部１１２のそれぞれから、紙幣ＢＮを繰り出してもよいし、一つの収納部１１２から、紙幣ＢＮを繰り出してもよい。
【０１００】
また、収納部１１２から紙幣ＢＮを繰り出すタイミングを、前述したように、一時保留部１１３に帯封枚数分の紙幣ＢＮが収納された後にすることによって、入金部１０３に投入された紙幣ＢＮの枚数に対応する数の帯封紙幣を作成し、帯封紙幣処理ユニット２００のスタッカ２０５に収納することができる。
【０１０１】
尚、一時保留部１１３に帯封枚数分の紙幣ＢＮが収納された後に、収納部１１２から紙幣ＢＮの繰り出しを開始するのではなく、一時保留部１１３への紙幣ＢＮの収納と、収納部１１２からの紙幣ＢＮの繰り出しとを並行に行ってもよい。こうすることで、入金口装填処理の所要時間を短くすることができる。
【０１０２】
（第二の入金口装填処理）
バラ紙幣処理ユニット１００は、前記の入金口装填処理（つまり、第一の入金口装填処理）に加えて、第一の入金口装填処理とは異なる第二の入金口装填処理として、従来の入金口装填処理を実行可能に構成してもよい。
【０１０３】
図９は、第二の入金口装填処理時における紙幣ＢＮの搬送経路を示している。図９に太い黒矢印で示すように、入金部１０３は、投入された紙幣ＢＮを繰り出し、搬送部１０７は、入金搬送路１１６に沿って、当該紙幣ＢＮを入金識別部１０８へ搬送する。入金識別部１０８は、紙幣ＢＮの識別を行う。搬送部１０７は、装填対象の紙幣ＢＮを、スイッチバック反転部１１０へ搬送する。装填対象外の紙幣ＢＮを含むリジェクト紙幣は、搬送部１０７によって入金リジェクト部１０４へ搬送される。尚、第二の入金口装填処理時にも、ユーザーは、装填対象の金種を、１金種又は２金種から選択することができる。
【０１０４】
スイッチバック反転部１１０は、入金識別部１０８の識別結果に基づいて、反転が必要な紙幣ＢＮを選択的に反転させる。第一の入金口装填処理とは異なり、スイッチバック反転部１１０は、紙幣ＢＮの表裏を揃えてもよい。搬送部１０７は、スイッチバック反転部１１０を通過した紙幣ＢＮを、バイパス路１１９から、出金搬送路１１７及び集積搬送路１２１を通って、集積部１１４へ搬送する。集積部１１４には、少なくとも表裏が揃った紙幣ＢＮが集積される。
【０１０５】
集積部１１４に帯封枚数分の紙幣ＢＮが集積されると、運搬部１１５が紙幣ＢＮの束を集積部１１４から取り出して、帯封紙幣処理ユニット２００の帯封機構２０１へ運搬する。帯封機構２０１は、帯封紙幣を作成し、作成された帯封紙幣は、金種に対応するスタッカ２０５に収納される。こうして紙幣ＢＮの表裏が揃った帯封紙幣が、スタッカ２０５に収納（つまり、装填）される。
【０１０６】
第一の入金口装填処理は、紙幣ＢＮの表裏及び天地の両方を揃えることができる。第二の入金口装填処理は、表裏のみを揃えることができる。例えば、入金口装填処理の実行を指示する際に、ユーザーが、第一の入金口装填処理又は第二の入金口装填処理を選択可能に構成してもよい。第一の入金口装填処理と第二の入金口装填処理とを切り替え可能にすることによって、ユーザーの利便性を向上させることができる。帯封紙幣の方向を揃えることを優先する場合は、ユーザーは、第一の入金口装填処理を選択し、入金口装填処理の所要時間の短縮を優先する場合は、ユーザーは、第二の入金口装填処理を選択すればよい。
【０１０７】
また、貨幣処理装置１を導入・設置する時に、当該貨幣処理装置１が実行する入金口装填処理を、第一の入金口装填処理又は第二の入金口装填処理に設定してもよい。
【０１０８】
また、バラ紙幣処理ユニット１００の収納部１１２の収納量に応じて、バラ紙幣処理ユニット１００が、第一の入金口装填処理と第二の入金口装填処理とを切り換えて実行してもよい。具体的に、収納部１１２に収納されている紙幣ＢＮが所定量以上の場合、バラ紙幣処理ユニット１００は、収納部１１２から繰り出した紙幣ＢＮを集積部１１４へ搬送する第一の入金口装填処理を選択し、収納部１１２に収納されている紙幣ＢＮが所定量よりも少ない場合、バラ紙幣処理ユニット１００は、入金部１０３に投入された紙幣ＢＮを集積部１１４へ搬送する第二の入金口装填処理を選択する、としてもよい。尚、バラ紙幣処理ユニット１００が第二の入金口装填処理を実行する場合は、表裏及び天地の両方が揃った帯封紙幣が装填されない旨を、第一ターミナル部４１又は第二ターミナル部４２を通じて、ユーザーに報知してもよい。そして、ユーザーが、第二の入金口装填処理を承認する操作を行ったことを条件に、バラ紙幣処理ユニット１００は、第二の入金口装填処理を実行してもよい。
【０１０９】
（帯封紙幣装填処理）
貨幣処理装置１は、バラ紙幣を入金部１０３に投入する前記の入金口装填処理とは異なり、既に作成されている帯封紙幣を、帯封紙幣処理ユニット２００の入出金口２０６を通じてスタッカ２０５に装填する帯封紙幣装填処理を実行することが可能である。
【０１１０】
ユーザーは、帯封紙幣装填処理の実行を指示すると、帯封紙幣処理ユニット２００の入出金口２０６を通じて、リフト２０３ｂの上に装填対象の帯封紙幣を置く。リフト２０３ｂにセットされた帯封紙幣は、識別部２０４ｄにより金種が識別された後、第二搬送機構２０４により、金種に対応する対応するスタッカ２０５へ搬送される。スタッカ２０５は、装填対象の帯封紙幣を収納（つまり、装填）する。
【０１１１】
尚、貨幣処理装置１は、帯封紙幣装填処理によって装填した帯封紙幣の表裏及び天地の両方が揃っていることを保証することができないため、帯封紙幣装填処理によって装填した帯封紙幣は、表裏及び天地が揃っていない帯封紙幣として取り扱う。
【０１１２】
（計数整理処理）
計数整理処理は、バラ紙幣処理ユニット１００の入金部１０３に投入された紙幣を計数すると共に、当該計数結果に対応する帯封紙幣を、帯封紙幣処理ユニット２００の入出金口２０６又は投出口２０７から投出する処理である。ユーザーは、計数整理処理においても、整理対象の紙幣の金種を、「１金種」とするか、「２金種」とするかを選択可能である。
【０１１３】
計数整理処理時における紙幣ＢＮの搬送経路は、第一の入金口装填処理時における搬送経路と同じである（図８参照）。ユーザーがバラ紙幣処理ユニット１００の入金部１０３に計数対象の紙幣を投入すると共に、計数整理処理の実行を指示する操作を行うと、入金部１０３は、紙幣ＢＮを一枚ずつ繰り出し、搬送部１０７は、紙幣ＢＮを一枚ずつ、入金搬送路１１６に沿って搬送する。入金識別部１０８は、紙幣ＢＮの識別を行う。このときに、紙幣ＢＮの計数が行われる。搬送部１０７は、紙幣ＢＮを、スイッチバック反転部１１０へ搬送する。リジェクト紙幣は、入金リジェクト部１０４へ搬送される。
【０１１４】
スイッチバック反転部１１０は、入金識別部１０８の識別結果に基づいて、反転が必要な紙幣ＢＮを選択的に反転させる。スイッチバック反転部１１０は、入金処理時と同様に、紙幣ＢＮの天地を揃える。搬送部１０７は、スイッチバック反転部１１０を通過した整理対象の金種の紙幣ＢＮを、当該金種に対応する一時保留部１１３へ搬送する。一時保留部１１３に、帯封枚数分の紙幣ＢＮが収納されると、当該一時保留部１１３に対応する収納部１１２の繰出部１１２ａは、帯封枚数分の紙幣ＢＮを収納部１１２から繰り出す。
【０１１５】
搬送部１０７は、収納部１１２から繰り出された紙幣ＢＮを、出金搬送路１１７に沿って出金識別部１０９へ搬送する。出金識別部１０９は、紙幣ＢＮの識別を行う。スパイラル反転部１１１は、反転が必要な紙幣ＢＮを選択的に反転させる。これにより、スパイラル反転部１１１を通過した紙幣ＢＮは、表裏及び天地の両方が揃っている。搬送部１０７はその後、紙幣ＢＮを、集積搬送路１２１を通じて集積部１１４へ搬送する。集積部１１４には、表裏及び天地の両方が揃った紙幣ＢＮが集積される。
【０１１６】
出金識別部１０９がリジェクト紙幣と識別した紙幣ＢＮは、搬送部１０７によって、出金リジェクト部１０６へ搬送される。出金識別部１０９がリジェクト紙幣を識別した場合、繰出部１１２ａは、新たな紙幣ＢＮを収納部１１２から追加で繰り出す。
【０１１７】
集積部１１４に帯封枚数分の紙幣ＢＮが集積されると、運搬部１１５が紙幣ＢＮの束を集積部１１４から取り出して、帯封紙幣処理ユニット２００の帯封機構２０１へ運搬する。図示は省略するが、帯封機構２０１は、帯封紙幣を作成し、作成された帯封紙幣は、帯封紙幣処理ユニット２００の入出金口２０６又は投出口２０７から投出される。
【０１１８】
尚、計数整理処理時に、二つの集積部１１４への紙幣ＢＮの搬送は、前述した入金口装填処理時における二つの集積部１１４への紙幣ＢＮの搬送に準じて行えばよい。
【０１１９】
こうして、貨幣処理装置１は、計数整理処理時に、紙幣ＢＮの表裏及び天地の両方を揃えることができ、表裏及び天地の両方が揃った帯封紙幣をユーザーに提供することができる。
【０１２０】
尚、第二の計数整理処理として、バラ紙幣処理ユニット１００が、紙幣ＢＮを、第二の入金口装填処理と同じ経路で搬送することにより、表裏が揃った帯封紙幣を、帯封紙幣処理ユニット２００の入出金口２０６又は投出口２０７から投出する処理を実行してもよい。
【０１２１】
（スパイラル反転部の下流における紙幣の搬送制御）
このバラ紙幣処理ユニット１００は、長手の縁を前にして紙幣ＢＮを搬送する。スパイラル反転部１１１は、紙幣ＢＮの長手方向について紙幣ＢＮを回転させるため、反転後の紙幣ＢＮの斜行量が大きくなってしまう場合がある。
【０１２２】
紙幣ＢＮの斜行量は、入金識別部１０８及び出金識別部１０９が判断する。入金識別部１０８及び出金識別部１０９は、斜行量が大きい紙幣ＢＮをリジェクト紙幣と判断する。
【０１２３】
紙幣ＢＮの斜行量はまた、搬送路に設置した紙幣ＢＮの通過センサよって検知することができる。図１０に例示するように、出金搬送路１１７における所定の箇所には、通過センサ１３１、１３２、１３３、１３４が配設されている。第一通過センサ１３１は出金識別部１０９とスパイラル反転部１１１との間に配設されている。第一通過センサ１３１の検知結果は、スパイラル反転部１１１の分岐爪１３５の制御に用いられる。第二通過センサ１３２はスパイラル反転部１１１の出口に配設されている。第三通過センサ１３３及び第四通過センサ１３４はそれぞれ、スパイラル反転部１１１と集積部１１４への分岐箇所との間に配設されている。第三通過センサ１３３の検知結果は、出金搬送路１１７と集積搬送路１２１とに紙幣ＢＮを振り分ける分岐爪１３６の制御に用いられる。
【０１２４】
第一通過センサ１３１〜第四通過センサ１３４はそれぞれ、搬送方向に直交する方向に、所定の間隔を空けて並んだ複数の光学式センサによって構成されている。光学式センサは、紙幣ＢＮの通過を、透光から遮光への切り替わり、及び、遮光から透光への切り替わりによって検出することができる。図１０に例示するように、第二通過センサ１３２は、左センサ１３２Ｌ、右センサ１３２Ｒ及び中央センサ１３２Ｃによって構成されている。
【０１２５】
尚、第三通過センサ１３３及び第四通過センサ１３４も、第二通過センサ１３２と同様に三つの光学式センサによって構成されていると共に、図１０には図示していないが、第一通過センサ１３１も、第二通過センサ１３２と同様に三つの光学式センサによって構成されている。尚、通過センサは、紙幣ＢＮと接触することにより紙幣ＢＮを検出する機械式センサによって構成してもよい。
【０１２６】
図１０に示すように、紙幣ＢＮの斜行量が大きいと左センサ１３２Ｌと右センサ１３２Ｒとの検知タイミングのずれが大きくなる。各通過センサ１３１、１３２、１３３、１３４は、左センサと右センサとの検知タイミングのずれに基づいて紙幣ＢＮの斜行量を検出することができる。つまり、検知タイミングのずれが大きいほど、斜行量が大きいと判断することができる。
【０１２７】
出金識別部１０９が斜行量が所定の閾値より小さい正常紙幣と識別した紙幣ＢＮが、スパイラル反転部１１１を通過後に斜行量が前記閾値以上になった場合を考える。スパイラル反転部１１１よりも下流の第二通過センサ１３２の検知に基づいて当該紙幣ＢＮの斜行量が前記閾値以上と判断すると、従来の貨幣処理装置は、搬送エラーとして、バラ紙幣処理ユニットを停止していた。尚、集積部１１４に紙幣が集積されている状態で、バラ紙幣処理ユニット１００がエラー停止した場合、ユーザーは、各搬送路上の紙幣や、集積部１１４に集積されている紙幣等を全て回収して、もう一度、処理をやり直さなければならない。エラー解除が面倒な上に、回収した紙幣の紛失や、不正が発生してしまう恐れがある。
【０１２８】
尚、斜行量が前記閾値以上のリジェクト紙幣と出金識別部１０９が判断した紙幣ＢＮについて、第二通過センサ１３２、第三通過センサ１３３及び第四通過センサ１３４はそれぞれ、紙幣ＢＮの斜行量の判断を行わない。これにより、搬送部１０７は、当該リジェクト紙幣を、出金リジェクト部１０６へ搬送することができる。
【０１２９】
従来の貨幣処理装置に対し、この貨幣処理装置１は、スパイラル反転部１１１の出口の第二通過センサ１３２の検知に基づいて正常紙幣の斜行量が前記閾値以上になったと判断した場合には、搬送エラーではなく、当該紙幣を正常紙幣からリジェクト紙幣へと切り換える。これにより、搬送部１０７は、リジェクト紙幣へと切り換えた紙幣を、集積部１１４ではなく、出金リジェクト部１０６へ搬送することになる。つまり、第三通過センサ１３３及び第四通過センサ１３４はそれぞれ、紙幣ＢＮの斜行量の判断を行わない。また、第三通過センサ１３３の検知結果に基づいて、分岐爪１３６が制御される。こうして、正常紙幣からリジェクト紙幣へと切り換えることにより、搬送エラーとして、バラ紙幣処理ユニット１００が停止してしまう頻度が低下する。
【０１３０】
また、前記の構成は、スパイラル反転部１１１が反転をした紙幣ＢＮに限らず、スパイラル反転部１１１を通過した紙幣ＢＮの全てについて斜行量の大きさを判断することができ、斜行量が前記閾値以上の紙幣ＢＮが集積部１１４へと搬送されることを抑制することができる。集積部１１４における紙幣ＢＮの集積不良を抑制することもできる。
【０１３１】
（紙幣処理装置の他の構成例）
ここに開示する技術が適用可能な紙幣処理装置は、前述した構成のバラ紙幣処理ユニット１００に限定されない。紙幣処理装置は、投入部から繰り出された紙幣を識別する識別部と、収納部から繰り出した紙幣の方向を選択的に変換する変換部と、を備えていればよい。
【０１３２】
例えば図１１に示すバラ紙幣処理ユニット１０００は、図３に示すバラ紙幣処理ユニット１００に対して、スイッチバック反転部１１０とスパイラル反転部１１１との配設箇所を入れ替えている。つまり、スパイラル反転部１１１は、入金搬送路１１６における入金識別部１０８と収納部１１２との間に配設されている。スイッチバック反転部１１０は、出金搬送路１１７における収納部１１２と集積部１１４との間に配設されている。バラ紙幣処理ユニット１０００において、スパイラル反転部１１１は第二変換部に対応し、スイッチバック反転部１１０は、変換部に対応する。
【０１３３】
入金処理時、又は、入金口装填処理時に、スパイラル反転部１１１は、入金識別部１０８の識別結果に基づいて、紙幣ＢＮを選択的に反転する。具体的に、スパイラル反転部１１１は、Ａ方向又はＣ方向となるように紙幣ＢＮを反転してもよい。入金処理時、又は、入金口装填処理時に、収納部１１２に収納される紙幣ＢＮは、Ａ方向又はＣ方向となる。
【０１３４】
入金口装填処理時に、スイッチバック反転部１１０は、出金識別部１０９の識別結果に基づいて、収納部１１２から繰り出された紙幣ＢＮを選択的に反転する。スイッチバック反転部１１０は、Ａ方向の紙幣ＢＮを反転せず、Ｃ方向の紙幣ＢＮを反転することによって、紙幣ＢＮの表裏及び天地の両方を揃えることができる。
【０１３５】
図１１に示すバラ紙幣処理ユニット１０００も、図３に示すバラ紙幣処理ユニット１００と同様に、入金口装填処理時に、表裏及び天地の両方が揃った帯封紙幣を帯封紙幣処理ユニット２００のスタッカ２０５に収納することができる。
【０１３６】
尚、詳細な説明は省略するが、図１１に示すバラ紙幣処理ユニット１０００は、計数整理処理時に、表裏及び天地の両方が揃った帯封紙幣を帯封紙幣処理ユニット２００の入出金口２０６又は投出口２０７から投出することができる。
【０１３７】
尚、バラ紙幣処理ユニット１００、１０００における二種類の反転部は、スイッチバック方式の反転部及びスパイラル方式の反転部の組み合わせに限定されない。紙幣ＢＮの表裏及び天地の両方を揃えることができる組み合わせであれば、二種類の反転部は、様々な方式の反転部を組み合わせることができる。
【符号の説明】
【０１３８】
１００  バラ紙幣処理ユニット（紙幣処理装置）
１０００  バラ紙幣処理ユニット（紙幣処理装置）
１０３  入金部（投入部）
１０８  入金識別部（識別部）
１１０  スイッチバック反転部（第二変換部、変換部）
１１１  スパイラル反転部（変換部、第二変換部）
１１２  収納部
１１６  入金搬送路（第二搬送路）
１１７  出金搬送路（第一搬送路）
２００  帯封紙幣処理ユニット（帯封部）
２０５  スタッカ（第二収納部）
２０６  入出金口（払出部）
２０７  投出口（払出部）
【図１】
2020160644.tif 000003
【図２】
2020160644.tif 000004
【図３】
2020160644.tif 000005
【図４】
2020160644.tif 000006
【図５】
2020160644.tif 000007
【図６】
2020160644.tif 000008
【図７】
2020160644.tif 000009
【図８】
2020160644.tif 000010
【図９】
2020160644.tif 000011
【図１０】
2020160644.tif 000012
【図１１】
2020160644.tif 000013